【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
マシンタイプ通信（ＭＴＣ）ユーザ機器（ＵＥ）によるワイヤレス通信のための方法であって、
第１のコアネットワークからアタッチ受理メッセージを受信することと、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定することと、
データベアラサービスのためのサポートにアクセスするために前記第１のコアネットワークから第２のコアネットワークへ再選択するためのアクションを取ることと
を備え、
ここにおいて、前記アクションを取ることは、登録アップデートを開始することを備え、前記登録アップデートは、前記第１のコアネットワークに関連付けられた識別子を示さず、かつコアネットワーク制御ノードに接続するインジケーション、データベアラサービスをサポートするコアネットワークに接続するインジケーション、前記第１のコアネットワークに接続しないインジケーション、またはそれらの組み合わせ、のうちの少なくとも１つを含む、方法。
【請求項２】
前記登録アップデートは、無線アクセスネットワーク（ＲＡＮ）ノードに、前記第１のコアネットワークによって提供されない前記ＵＥによって要求されるサービスを示す、請求項１に記載の方法。
【請求項３】
前記第１のコアネットワークに関連付けられた前記識別子は、グローバルに固有のＭＭＥ識別子（ＧＵＭＭＥＩ）を備える、請求項１に記載の方法。
【請求項４】
前記第１のコアネットワークに関連付けられた前記識別子は、一時的な識別子を備える、請求項１に記載の方法。
【請求項５】
前記アクションを取ることは、無線アクセスネットワーク（ＲＡＮ）ノードに、前記ＵＥに関連付けられた永久識別子のインジケーションを送信する追跡エリアアップデート（ＴＡＵ）要求を開始することをさらに備える、請求項４に記載の方法。
【請求項６】
前記ＴＡＵ要求は、前記第１のコアネットワークに関する情報を送信する、請求項５に記載の方法。
【請求項７】
前記第１のコアネットワークは、組制御プレーンおよびユーザプレーンを組み合わせる、請求項１に記載の方法。
【請求項８】
マシンタイプ通信（ＭＴＣ）ユーザ機器（ＵＥ）によるワイヤレス通信のための装置であって、
第１のコアネットワークからアタッチ受理メッセージを受信するための手段と、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定するための手段と、
データベアラサービスのためのサポートにアクセスするために前記第１のコアネットワークから第２のコアネットワークへ再選択するためのアクションを取るための手段と
を備え、
ここにおいて、前記アクションを取るための前記手段は、登録アップデートを開始するための手段を備え、前記登録アップデートは、前記第１のコアネットワークに関連付けられた識別子を示さず、かつコアネットワーク制御ノードに接続するインジケーション、データベアラサービスをサポートするコアネットワークに接続するインジケーション、前記第１のコアネットワークに接続しないインジケーション、またはそれらの組み合わせ、のうちの少なくとも１つを含む、装置。
【請求項９】
前記登録アップデートは、無線アクセスネットワーク（ＲＡＮ）ノードに、前記第１のコアネットワークによって提供されない前記ＵＥによって要求されるサービスを示す、請求項８に記載の装置。
【請求項１０】
前記第１のコアネットワークに関連付けられた前記識別子は、グローバルに固有のＭＭＥ識別子（ＧＵＭＭＥＩ）を備える、請求項８に記載の装置。
【請求項１１】
前記第１のコアネットワークに関連付けられた前記識別子は、一時的な識別子を備える、請求項８に記載の装置。
【請求項１２】
前記アクションを取るための前記手段は、前記無線アクセスネットワーク（ＲＡＮ）ノードに、前記ＵＥに関連付けられた永久識別子のインジケーションを送信する追跡エリアアップデート（ＴＡＵ）要求を開始するための手段をさらに備える、請求項１１に記載の装置。
【請求項１３】
前記ＴＡＵ要求は、前記第１のコアネットワークに関する情報を送信する、請求項１２に記載の装置。
【請求項１４】
前記第１のコアネットワークは、組制御プレーンおよびユーザプレーンを組み合わせる、請求項８に記載の装置。
【請求項１５】
マシンタイプ通信（ＭＴＣ）ユーザ機器（ＵＥ）によるワイヤレス通信のための装置であって、
第１のコアネットワークからアタッチ受理メッセージを受信するように構成された受信機と、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定することと、
データベアラサービスのためのサポートにアクセスするために前記第１のコアネットワークから第２のコアネットワークへ再選択するためのアクションを取ることと
を行うように構成された少なくとも１つのプロセッサと、ここにおいて、前記少なくとも１つのプロセッサは、登録アップデートを開始することによって前記アクションを取ることを行うように構成され、前記登録アップデートは、前記第１のコアネットワークに関連付けられた識別子を示さず、かつコアネットワーク制御ノードに接続するインジケーション、データベアラサービスをサポートするコアネットワークに接続するインジケーション、前記第１のコアネットワークに接続しないインジケーション、またはそれらの組み合わせ、のうちの少なくとも１つを含む、
前記少なくとも１つのプロセッサに結合されたメモリと
を備える、装置。
【請求項１６】
前記登録アップデートは、無線アクセスネットワーク（ＲＡＮ）ノードに、前記第１のコアネットワークによって提供されない前記ＵＥによって要求されるサービスを示す、請求項１５に記載の装置。
【請求項１７】
前記第１のコアネットワークに関連付けられた前記識別子は、グローバルに固有のＭＭＥ識別子（ＧＵＭＭＥＩ）を備える、請求項１５に記載の装置。
【請求項１８】
前記第１のコアネットワークに関連付けられた前記識別子は、一時的な識別子を備える、請求項１５に記載の装置。
【請求項１９】
前記少なくとも１つのプロセッサは、無線アクセスネットワーク（ＲＡＮ）ノードに、前記ＵＥに関連付けられた永久識別子のインジケーションを送信する追跡エリアアップデート（ＴＡＵ）要求を開始することによって、前記アクションを取ることを行うようにさらに構成される、請求項１８に記載の装置。
【請求項２０】
前記ＴＡＵ要求は、前記第１のコアネットワークに関する情報を送信する、請求項１９に記載の装置。
【請求項２１】
前記第１のコアネットワークは、組制御プレーンおよびユーザプレーンを組み合わせる、請求項１５に記載の装置。
【請求項２２】
記憶された命令を有する非一時的コンピュータ読み取り可能な媒体であって、前記命令は、マシンタイプ通信（ＭＴＣ）ユーザ機器（ＵＥ）に、
第１のコアネットワークからアタッチ受理メッセージを受信することと、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定することと、
データベアラサービスのためのサポートにアクセスするために前記第１のコアネットワークから第２のコアネットワークへ再選択するためのアクションを取ることと、
を行わせるために１つまたは複数のプロセッサによって実行可能であり、
ここにおいて、前記少なくとも１つのプロセッサは、登録アップデートを開始することによってアクションを取ることを行うように構成され、前記登録アップデートは、前記第１のコアネットワークに関連付けられた識別子を示さず、かつコアネットワーク制御ノードに接続するインジケーション、データベアラサービスをサポートするコアネットワークに接続するインジケーション、または前記第１のコアネットワークに接続しないインジケーション、またはそれらの組み合わせ、のうちの少なくとも１つを含む、コンピュータ読み取り可能な媒体。
【請求項２３】
前記登録アップデートは、無線アクセスネットワーク（ＲＡＮ）ノードに、前記第１のコアネットワークによって提供されない前記ＵＥによって要求されるサービスを示す、請求項２２に記載のコンピュータ読み取り可能な媒体。